(57)【要約】【課題】表示部の構成を簡易化し、警報時において検知状況が直ぐに把握しやすく、見易い防犯受信機及びこれを用いた防犯システムを提供する。【解決手段】監視エリアに設置された防犯センサＳ（♯１、♯２・・・）からの異常信号を受信して、異常を生じた監視エリアを表示操作部１１に表示して、警報音を出力する防犯受信機Ａにおいて、上記表示操作部１１は、異常を生じた監視エリア及び／又は防犯センサＳ（♯１、♯２・・・）の種別に対応した表示をなす表示部１２と、確認ボタン１３ｄとを備えており、上記表示部に異常を生じた監視エリア及び／又は防犯センサの種別が表示されたときに、上記確認ボタンを操作したときには、異常を生じている監視エリア及び／又は防犯センサについての詳細情報を音声メッセージで通知する制御手段を備えていることを特徴とする。【選択図】図１
2007233681.tif 000002
【特許請求の範囲】
【請求項１】
監視エリアに設置された防犯センサからの異常信号を受信して、異常を生じた監視エリアを表示操作部に表示して、警報音を出力する防犯受信機において、
上記表示操作部は、異常を生じた監視エリア及び／又は防犯センサの種別に対応した表示をなす表示部と、確認ボタンとを備えており、
上記表示部に異常を生じた監視エリア及び／又は防犯センサの種別が表示されたときに、上記確認ボタンが操作されると、異常を生じている監視エリア及び／防犯センサについての詳細情報を音声メッセージで通知する制御手段を備えていることを特徴とする防犯受信機。
【請求項２】
請求項１において、
上記音声メッセージには、防犯センサに割り付けた番号を含んでいることを特徴とする防犯受信機。
【請求項３】
請求項１又は請求項２に記載の防犯受信機と、監視対象となる防犯センサとをワイヤレス接続して構成された防犯システム。
【発明の詳細な説明】
【技術分野】
【０００１】
本発明は、監視エリアに設けられた防犯センサからの異常信号を受信する防犯受信機及びこれを用いた防犯システムに関し、詳しくは、異常が生じた監視エリア等を表示操作部に表示して、警報音を出力する防犯受信機及びこれを用いた防犯システムの改良に関する。
【背景技術】
【０００２】
従来より、上記のような防犯受信機の表示操作部には、防犯センサにより異常の検知された防犯エリアや異常を検知した防犯センサの種別を示すために、数々の表示灯が設けられている。
下記特許文献１には、このような防犯受信機を用いた防犯システムが開示されており、図６は下記特許文献１で開示されている防犯システムの概略構成を示した図である。図中、１００は防犯受信機、２００（♯１〜♯ｎ）は防犯センサ、Ｇ１〜Ｇｎは監視エリア、Ｗ１〜Ｗｎは表示窓を示している。
【０００３】
この防犯システムにおいて、各監視エリアＧ１〜Ｇｎの防犯センサ２００（♯１〜♯ｎ）は、異常を感知すると、防犯受信機１００に感知信号を送信し、該感知信号を受けた防犯受信機１００は、各監視エリアＧ１〜Ｇｎ毎に設けられた表示窓Ｗ１〜Ｗｎのうち、対応する表示窓Ｗ１〜Ｗｎを点灯或いは点滅させ、警報音を鳴動することにより、住居人等に知らせる構成としている。
【特許文献１】特開２００５−３３８９２０号公報
【発明の開示】
【発明が解決しようとする課題】
【０００４】
しかしながら、近年の防犯システムは、監視エリアが拡がり且つシステム構成も高機能化、多機能化が進んでいる。これに伴って表示操作部の構成も複雑となり、表示窓の数が多くなると、警報時において、どの種類の防犯センサが検知し、どの監視エリアの防犯センサが検知したのか、直ぐに視認することが困難なときがあり、問題となっていた。
【０００５】
本発明は、上記実情に鑑みなされたものであり、表示部の構成を簡易化し、警報時において検知状況が直ぐに把握しやすく、見易い防犯受信機及びこれを用いた防犯システムを提供することを課題としている。
【課題を解決するための手段】
【０００６】
請求項１の発明に係る防犯受信機は、監視エリアに設置された防犯センサからの異常信号を受信して、異常を生じた監視エリアを表示操作部に表示して、警報音を出力する防犯受信機において、
上記表示操作部は、異常を生じた監視エリア及び／又は防犯センサの種別に対応した表示をなす表示部と、確認ボタンとを備えており、
上記表示部に異常を生じた監視エリア及び／又は防犯センサの種別が表示されたときに、上記確認ボタンが操作されると、異常を生じている監視エリア及び／防犯センサについての詳細情報を音声メッセージで通知する制御手段を備えていることを特徴とする。
【０００７】
本発明においては、請求項２の発明のように、音声メッセージには、防犯センサに割り付けた番号を含むようにすることができる。
また、請求項３の発明のように、請求項１又は請求項２に記載の防犯受信機と、監視対象となる防犯センサとをワイヤレス接続して構成された防犯システムとすることができる。
【発明の効果】
【０００８】
請求項１の発明に係る防犯受信機によれば、防犯受信機の表示操作部は、異常を生じた監視エリア及び／又は防犯センサの種別に対応した表示をなす表示部を備えているため、表示部の構成を簡易化することができ、警報時にどこの監視エリアで異常が生じたのか、及び／又はどのような種別の防犯センサが異常を検知したのかを素早く視認することができる。
また、表示操作部の表示部に異常を生じた監視エリア及び／又は防犯センサの種別に対応して設けたシンボルが表示されたときに、確認ボタンを操作すると、異常が生じている監視エリア及び／又は防犯センサについての詳細情報を音声メッセージで出力するので、音声で確認できる。
したがって、住居人等は警報時を迅速に把握し易く、使い勝手がよい。
【０００９】
請求項２の発明に係る防犯受信機によれば、音声メッセージには、防犯センサに割り付けた番号を含むようにすることができるので、監視エリアが複数あり、様々な種別の防犯センサが多数設置されている場合でも、異常を検知した防犯センサの識別が迅速にできる。
【００１０】
請求項３の発明に係る防犯システムによれば、ワイヤレス型防犯システムに適用することができる。
【発明を実施するための最良の形態】
【００１１】
以下、本発明の実施の形態について図面に基づいて説明する。
図１は、防犯受信機の表示操作部を示しており、（ａ）は待機時の状態、（ｂ）は警報発生時の状態を示す説明図である。図２は、本発明の防犯受信機の一実施例を示す分解斜視図、図３は、表示操作部の表示部の構造を説明する図であり、（ａ）は表示部を構成する表示プレートの例図、（ｂ）は要部縦断面構造図（ハーフミラーを用いた構成）である。図４は、本発明をワイヤレス型防犯受信機に適用した場合の防犯システム構成図、図５は本発明の防犯受信機の基本動作の一例を示すフローチャートを夫々示す。
【実施例１】
【００１２】
以下では、添付図を参照しながら、実施例について説明する。
図中、Ａは防犯受信機、Ｓ（♯１、♯２・・・）は防犯センサ、Ｒは警戒モード或いは報知モードのセット、リセットをリモート操作するワイヤレスリモコン発信器、２は収容される電池を覆う電池蓋、３は発光手段を構成するＬＥＤ、４は停電時のバックアップ電池、５は壁面に防犯受信機Ａを取付けるための壁面取付金具、１０は後述する制御部１を構成する各種電子部品を実装した回路基板、１０ａは上ケース、１０ｂは表示窓、１０ｃ〜１０ｆはボタン窓、１０ｇは下ケース、１０ｈはスピーカー孔、１１は表示操作部、１２は表示部、１３ａは警戒モードにセットする警戒ボタン、１３ｂは報知モードにセットする報知ボタン、１３ｃは警戒モード或いは報知モードをリセットする解除ボタン、１３ｄは確認ボタン、１５は異常信号等、センサＳ（♯１、♯２・・・）からの信号を受け取るアンテナを示している。
ここで報知モードと警戒モードでは、防犯センサが異常を検知したときの鳴動音を異ならせており、報知モードでは、センサが動作したことを報知音で通知するのに対して、警戒モードでは、センサが動作したことを警報音として出力する。また、後者の場合、警報音の出力と同時に自動通報（自動通報機（不図示）により家族や外出先等へ自動的に電話をかけ通報する）を連動させて実行してもよい。
また、防犯センサＳ（♯１、♯２・・・）は、ドアや窓の施錠を検知するセンサや車上盗難を検知するセンサ、人の侵入を検知するセンサの他、火災やガス漏れを検知するセンサ等を含めてもよい。
【００１３】
防犯システムは、防犯受信機Ａと、監視対象となる防犯センサＳ（♯１、♯２・・・）とをワイヤレス接続して構成されており、防犯受信機Ａは、監視エリアに設置された防犯センサＳ（♯１、♯２・・・）からの異常信号を受信して、異常を生じた監視エリアを表示操作部１１に表示して、警報音を出力するよう構成されている。
表示操作部１１は、異常を生じた監視エリア及び／又は防犯センサＳ（♯１、♯２・・・）の種別に対応したシンボルを設けて、表示をなす表示部１２と、確認ボタン１３ｄとを備えており、本発明では、表示部１２に異常を生じた監視エリア及び／又は防犯センサＳ（♯１、♯２・・・）の種別が表示されたときに、確認ボタン１３ｄを操作すると、異常を生じている監視エリア及び／又は防犯センサＳ（♯１、♯２・・・）についての詳細情報が音声メッセージで通知する制御手段を備えている。
【００１４】
確認ボタン１３ｄを操作したときに、出力させる音声メッセージは、防犯受信機の復旧操作を完了するまで繰り返し出力させてもよい。
また、異常を生じた監視エリアが複数存在する場合には、確認ボタン１３ｄを操作によって、それぞれの警報についての詳細情報を連続して音声メッセージで通知するようにしてもよい。
更に、異常を生じた監視エリア或いは防犯センサの種別が表示部に表示された後は、通常とは異なる報知音を出力させて、確認ボタンの操作に注意を喚起させることが望ましい。
【００１５】
また、この音声メッセージには、防犯センサＳ（♯１、♯２・・・）に割り付けた番号を含むようにすることができるので、監視エリアが複数あり、様々な種別の防犯センサＳ（♯１、♯２・・・）が多数設置されている場合でも、異常を検知した防犯センサＳ（♯１、♯２・・・）の識別が容易にできる。なお、ここでは図示していないが、監視エリアが広い場合は、中継器を設ければ電波到達距離を広げることができ、広範囲を監視できる防犯システムとすることができる。
【００１６】
防犯受信機Ａは、図２に示す各部材を組み合わせて構成されており、上ケース１０ａと下ケース１０ｇとが防犯受信機Ａ本体のハウジングを構成し、表示操作部１１は、ハーフミラー構造でなる表示部１２と、警戒モードや報知モードの設定や解除、確認等の操作が可能な各種ボタン１３ａ〜１３ｄと、音声メッセージや警報音が出力されるスピーカー孔１０ｈとを備えている。
防犯受信機Ａの警戒セット時（待機時）は、表示部１２も各種ボタン１３ａ〜１３ｄのいずれも点灯或いは点滅はしておらず、電源が入っていることを表示する電源確認灯１２ｄのみが点灯している（図１（ａ）参照）。
ところが、警戒モードにおいて、いずれかの防犯センサＳ（♯１、♯２・・・）が異常を検知すると、その異常信号を受信した防犯受信機Ａの表示部１２に対応して設けた監視エリア及び／又は防犯センサＳの種別を示すシンボルが表示部１２に表示されるともに、警報音が出力され、警戒ボタン１３ａが点灯或いは点滅する（図１（ｂ）参照）。なお、報知モードの場合は上述の警報音に換わって報知音が出力されることになる。
【００１７】
表示部１２をハーフミラーで構成したものでは、防犯センサＳ（♯１、♯２・・・）が異常を検知していないときには、防犯受信機Ａの表示部１２は鏡のように反射面となり、いずれかの防犯センサＳ（♯１、♯２・・・）が異常を検知したときには、例えば図１（ｂ）に示すように、異常を検知した防犯センサＳ（♯１、♯２・・・）が設置されている監視エリアや防犯センサＳ（♯１、♯２・・・）の種別に対応して設けたシンボルのみを点灯或いは点滅させることができる。
即ち、図例のように「窓１」のピクトグラム１２ｅのみが点灯或いは点滅をするので、表示部１２の構成を非常に簡易化されたものとすることができ、警報時に異常を生じた監視エリア及び／又は防犯センサＳ（♯１、♯２・・・）の種別のみを素早く視認することができるので、異常の発生が迅速に把握できる。
【００１８】
例えば、外出から帰宅した住居人が警報音に気付き、防犯受信機Ａを確認すると、「窓１」のピクトグラム１２ｅのみが点灯或いは点滅しているので、一目見ただけで、「窓１」エリアで何かが起こったということを把握することができる。次いで、住居人が確認ボタン１３ｄを押すと「窓１の１番に異常がありました。確認してください。」或いは「窓１の戸締りを確認してください。」といったような詳細情報が音声メッセージで通知されるので、音声により警報状態の状況を認識できるようになっている。
なお、音声メッセージや表示部１２の表示の構成は上述の例に限定されるものではない。
【００１９】
図３は、表示操作部１１の表示部１２の構造を説明する図である。図３（ａ）は表示部１２を構成する表示プレート１２ｃの一例であり、図３（ｂ）に示すように表示部１２は、アクリル層１２ａ、鏡面層１２ｂ、印刷層を設けた表示プレート１２ｃの３層構造で構成されている。図中、１２ｆは非印刷部を示しており、図３（ａ）の白抜き部分は非印刷部１２ｆとなっている。
表示部１２の下には、回路基板１０が配置され、該回路基板１０の上には、表示プレート１２ｃの印刷されていない部分、即ち非印刷部１２ｆに対応して、光源となるＬＥＤ３が設けられている。
この表示部１２は、表示プレート１２ｃの非印刷部１２ｆを、鏡面層１２ｂ及びアクリル層１２ａを介してＬＥＤ３が発する光を透過させることにより、表示部１２に図１（ｂ）に示したようなピクトグラム１２ｅ及び電源確認灯１２ｄが浮かび上がるように表示されるようになっている。
なお、表示プレート１２ｃの表示は、図例のものに限られない点は言うまでもない。また本発明は、防犯センサに火災センサや、その他のセンサを組み込んだシステムとして構成することができ、そのようなものでは、火災発生時に対応したシンボルを点滅させて警報音を出力させたときに、確認ボタン１３ｄが押されると、例えば、「窓１の１番で火災が発生しました。避難してください。」といった警報の詳細情報に、住居人を避難に誘導する音声メッセージを含めて出力させることもできる。
【００２０】
図４は、本発明の防犯受信機の内部構成の一例を示すブロック図である。
防犯受信機Ａは、マイコン等で構成される制御部１、確認ボタン１３ｄが操作されたときにスピーカー１７により報知すべき音声メッセージ（異常を検知した監視エリア、防犯センサＳ（♯１、♯２・・・）についての詳細情報）を生成し、出力する音声合成部１６、アンテナ１５を通じて、ワイヤレスリモコン発信器Ｒ、防犯センサＳ（♯１、♯２・・・）の状態を問い合わせる信号や、防犯センサＳ（♯１、♯２・・・）からの異常信号を受信するためのワイヤレス送／受信部１４、警戒ボタン１３ａ、報知ボタン１３ｂ、解除ボタン１３ｃ、確認ボタン１３ｄなど各種操作ボタンで構成される操作部１３、異常を検知した監視エリア、防犯センサＳ（♯１、♯２・・・）の種別を表示する警報表示部１８、ＡＣ１００Ｖ電源によって駆動電源を生成する電源部１９を備えている。
【００２１】
制御部１は、上記した制御手段を構成する他、防犯センサＳ（♯１、♯２・・・）の監視エリア、防犯センサＳ（♯１、♯２・・・）の種別を判別するための判別制御手段１ａ、各種ボタン１３ａ〜１３ｄの操作による警戒セット或いは報知モードのセット、リセット、切替え、またリモコンＲからの遠隔操作信号を受け付けて警戒モードのセット、リセット等の切り替え設定を行うモード切替手段１ｂ、警戒モード或いは報知モードが設定されているときに防犯センサＳ（♯１、♯２・・・）から異常信号を受信した際に鳴動すべき警報音を切り換える鳴動音切換手段１ｃ、通信ネットワークとの間の通信を制御するための通信制御手段１ｄ、リモコンＲから遠隔操作信号を受信したときや監視エリア、防犯センサＳ（♯１、♯２・・・）に対応したＩＤコードや固有情報を照合するＩＤ照合手段１ｅを少なくとも備えている。
【００２２】
図５は、防犯受信機の基本動作の一例を示すフローチャートである（Ｓ１００〜Ｓ１１８）である。ここでは、警戒モードに設定した場合の基本動作を説明するが、報知モードに設定した場合も警報音の音色が異なるだけで、基本動作は同じである。
防犯受信機Ａで警戒ボタン１３ａが押下されたことを検知すると（Ｓ１００〜Ｓ１０２）、非警戒モードから警戒モードへと設定が切り替わる（Ｓ１０３、Ｓ１０５）。この状態でいずれかの防犯センサから異常信号を受信すると（Ｓ１０５）、異常信号に含まれているＩＤコードが、登録されているＩＤコードか否かＩＤ照合手段１ｅで判別する（Ｓ１０６）。そして、受信したＩＤコードから異常信号が発生した監視エリア或いは防犯センサＳ（♯１、♯２・・・）を特定すると、表示部１２に設けた該当するピクトグラム（図１の例では窓１のマーク）が点灯するとともに、警戒ボタン１３ａに内蔵しているＬＥＤ（不図示）が点滅し、スピーカー１７より警報音が鳴動する（Ｓ１０７、Ｓ１０８、図１（ｂ）参照）。
【００２３】
これに対して、解除ボタン１３ｃが押下されたことを検知すると、警報音は停止し（Ｓ１０９〜Ｓ１１１）、次いで確認ボタン１３ｄが押下されたことを検知すると、異常信号が発生した監視エリア及び防犯センサＳ（♯１、♯２・・・）の詳細情報を音声メッセージにより案内する（Ｓ１１２〜Ｓ１１４）。このとき、確認ボタン１３ｄを押下せず、解除ボタン１３ｃが押下されたことを検知した場合は、ピクト及び警戒ボタン１３ａのＬＥＤを消灯し、再び非警戒モードとなる。
ここで、防犯受信機Ａの基本動作は上述の例に限られず、例えば警報音が鳴動した後（Ｓ１０８）、警報音の鳴動中に確認ボタン１３ｄが押下されると鳴動を停止し、音声メッセージを通知するようにしてもよい。
【００２４】
なお、防犯受信機Ａと防犯センサＳ（♯１、♯２・・・）とをワイヤレス接続した例を示しているが、これに限られず、信号線で接続して構成したものとしてもよい。またここでは壁面に取り付けるタイプの防犯受信機Ａを示しているが、これに限定されず卓上に据え置くタイプのもの等にも適用可能である。またここでは表示部１２の光源としてＬＥＤ３を用いたものを示しているが、これに限られない。更に表示部１２の構成も、上述のハーフミラー構造に限られず、ＣＲＴや液晶表示により表示するものにも適用可能である点は言うまでもない。
【図面の簡単な説明】
【００２５】
【図１】防犯受信機の表示操作部を示しており、（ａ）は待機時の状態、（ｂ）は警報発生時の状態を示す説明図である。
【図２】本発明の防犯受信機の一実施例を示す分解斜視図である。
【図３】表示操作部の表示部の構造を説明する図を示しており、（ａ）は表示部を構成する表示プレートの例図、（ｂ）は要部縦断面構造図（ハーフミラーを用いた構成）である。
【図４】本発明をワイヤレス型防犯受信機に適用した場合のシステム構成図である。
【図５】本発明の防犯受信機の基本動作の一例を示すフローチャートである。
【図６】従来の防犯受信機を用いて構成された防犯システムの構成図である。
【符号の説明】
【００２６】
Ａ    防犯受信機
Ｓ（♯１、♯２・・・）    防犯センサ
１１    表示操作部
１２    表示部
１２ｄ    電源確認灯
１３ａ    警戒ボタン
１３ｂ    報知ボタン
１３ｃ    解除ボタン
１３ｄ    確認ボタン
１５    アンテナ
【図１】
2007233681.tif 000003
【図２】
2007233681.tif 000004
【図３】
2007233681.tif 000005
【図４】
2007233681.tif 000006
【図５】
2007233681.tif 000007
【図６】
2007233681.tif 000008
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
監視エリアに設置された防犯センサからの異常信号を受信して、異常を生じた監視エリアを表示操作部に表示して、警報音を出力する防犯受信機において、
上記表示操作部は、異常を生じた監視エリア及び／又は防犯センサの種別に対応した表示をなす表示部と、確認ボタンとを備えており、
上記表示部に異常を生じた監視エリア及び／又は防犯センサの種別が表示されたときに、上記確認ボタンが操作されると、異常を生じている監視エリア及び／防犯センサについての詳細情報を音声メッセージで通知する制御手段を備えていることを特徴とする防犯受信機。
【請求項２】
請求項１において、
上記制御手段は、監視エリアに設置された上記防犯センサからの異常信号を受信して、上記表示部に異常を生じた監視エリア及び／又は防犯センサの種別を表示するとともに、上記警報音を鳴動することを特徴とする防犯受信機。
【請求項３】
請求項１又は請求項２に記載の防犯受信機と、監視対象となる防犯センサとをワイヤレス接続して構成された防犯システム。
【手続補正２】
【補正対象書類名】明細書
【補正対象項目名】０００７
【補正方法】変更
【補正の内容】
【０００７】
本発明においては、請求項２の発明のように、上記制御手段は、監視エリアに設置された上記防犯センサからの異常信号を受信して、上記表示部に異常を生じた監視エリア及び／又は防犯センサの種別を表示するとともに、上記警報音を鳴動することができる。
また、請求項３の発明のように、請求項１又は請求項２に記載の防犯受信機と、監視対象となる防犯センサとをワイヤレス接続して構成された防犯システムとすることができる。
【手続補正３】
【補正対象書類名】明細書
【補正対象項目名】０００８
【補正方法】変更
【補正の内容】
【０００８】
請求項１及び請求項２の発明に係る防犯受信機によれば、防犯受信機の表示操作部は、異常を生じた監視エリア及び／又は防犯センサの種別に対応した表示をなす表示部を備えているため、表示部の構成を簡易化することができ、警報時にどこの監視エリアで異常が生じたのか、及び／又はどのような種別の防犯センサが異常を検知したのかを素早く視認することができる。
また、表示操作部の表示部に異常を生じた監視エリア及び／又は防犯センサの種別に対応して設けたシンボルが表示されたときに、確認ボタンを操作すると、異常が生じている監視エリア及び／又は防犯センサについての詳細情報を音声メッセージで出力するので、音声で確認できる。
したがって、住居人等は警報時を迅速に把握し易く、使い勝手がよい。
【手続補正４】
【補正対象書類名】明細書
【補正対象項目名】０００９
【補正方法】削除
【補正の内容】